Podtech/llm-jp-corpus-v4-ja_patent huggingface dataset:
(57)【要約】【課題】内容物の量に合わせて容積を変化させ、少ない部品数と単純な動作で容易に密閉する  事を可能とする。【解決手段】  外からの力によって変形する蓋を容器内で移動し内容物に寄せ、力を変化させる事で  シール材を容器の断面積より大きくして容器内を容易に密閉する事が可能な容積可変の  密閉蓋を使用する。【選択図】図１
2014181054.tif 000002
【特許請求の範囲】
【請求項１】
外部から負荷を与える事で引き伸ばされ、容器の断面積より小さく変形するシール材を組み合わせた蓋に力を加えたまま容器内で移動させ、最適な位置で脱力する事でシール材が元の形状に戻ると同時に内壁と密着し密閉され続ける事を特徴とする容積可変の密閉容器蓋。
【請求項２】
外部から負荷を与える事で膨張し、容器の断面積より大きく変形するシール材を組み合わせた蓋を脱力状態で容器内を移動させ、適した位置で負荷を与える事によりシール材が膨張し任意の時間だけ密閉する事を特徴とする容積可変の密閉容器蓋。
【発明の詳細な説明】
【技術分野】
【０００１】
本発明は、極力空気に触れさせたくない物質を内容物の量に合わせて必要な容量分を
容易に密閉する事ができる容器に使用する蓋に関するものである。
【背景技術】
【０００２】
密閉容器とは、外気と内容物の接触を遮断し、内容物の損失を防ぐ容器である。
一般に使われている密閉容器には、容器上部に弾力のあるシール材の付いた蓋を金具
で押さえつけるタイプ、シール材が蓋の径より大きくなっていて上から押し付ける事に
よって内壁と密着するタイプ、蓋を回転させて捻じ込むタイプが主に利用されている。
シール材には弾力があり、力が加わる事によって容器の端や内壁と密着し外気を遮断  
する。
内容物が外気に触れ続けない事によって酸化、吸湿しにくくなり、内容物が外部へ損
失される事を防いでいる。
【０００３】
内容物の量に合わせて容積を変化させる容器として蓋に特徴がある一つは特許文献１
である。
内壁とシール剤を密着させたまま外縁部をガイドとして移動する事によって容積を可
変させる事を可能にしている。
しかしこの方法では、内壁に付着した小さな内容物が粉末状である場合はシール剤と
内壁の間に粒子が入り込み、蓋の移動時の抵抗になると同時に密閉性も低くなる。
シール材と内壁の密着度が高くなるにつれて抵抗も大きくなる為、サイズによっては
大きな力を使わなければならない事がある。
【０００４】
特許文献２は外周のシール材に押し付けノブで力が加わらない状態で空気抜き弁から
内部の空気を逃がしながら内容物に近付け、押し付けノブを操作する事によって密閉す
る事ができる。
どちらも部品数が多くなり、安価に製造し組み付ける事が難しい。
【先行技術文献】
【特許文献】
【０００５】
【特許文献１】特開２００２−０８７４５３号
【０００６】
【特許文献２】特開２０１１−２１３３５７号
【発明の概要】
【発明が解決しようとする課題】
【０００７】
本発明の容積可変の容器は機構が単純な為に少ない部品数で量産する事ができ、蓋の
移動に抵抗は無いので煩わしさがなく、密閉から開封、密閉のサイクルが簡単な操作で
確実に行う事ができる、という複数の課題を解決する。
【課題を解決するための手段】
【０００８】
本発明の可動する密閉蓋には容器の断面よりも大きなシール材が組まれている。
蓋の中心軸に外部から力を加え、底に力が伝わる事で弾力のあるシール材を引き伸ば
すように変形させる事で容器の断面より小さくなる。
【０００９】
外部から力を加えた状態では内壁とシール材が密着しない為、蓋の移動に発生する抵
抗は壁面に擦れる程しかない。
【００１０】
脱力する事によって蓋の変形が解かれ、シール材は容器の断面より大きく戻ろうとす
る為に内壁へ密着し、任意の位置（容積）で密閉する事ができる。
【発明の効果】
【００１１】
内容物の量に合わせて蓋を移動できるので、容器内の空気を極力減らして内容物の酸
化や吸湿、減香を抑える事ができる。
【００１２】
容積に合った位置で密閉させる事ができるので、液面に蓋の底を接触させて密閉する
事により液面を暴れさせずに液体を輸送する事ができる。
【００１３】
小型であれば片手の指で押すという単純な作業のみで開封でき、離せば任意の位置で
密閉する事ができるので、操作が非常に簡単。
【００１４】
蓋単体で機能し、構造が非常に単純なので安価に量産し易い。
【００１５】
円形に限らず多角形にも使えるので、デザイン性が良好である。
【図面の簡単な説明】
【００１６】
【図１】この発明の容積可変密閉蓋の部品斜視図を示す。
【図２】図１を組み合わせて外部から力を加えた斜視図を示す。
【図３】この発明の実施図を示す。
【発明を実施するための形態】
【００１７】
図１は本発明に従う密閉容器の実施の形態を模式的に示した図であり、図２は図１を
組み合わせた密閉蓋を外部からの負荷で変形させた形状、図３は容器内で無負荷となり
密閉工程が終了した状態を示した図である。
図１の押しピン１には硬質樹脂、金属、ガラス、木、陶器などの硬質材が望ましく、
形成部品２には多少の変形には耐えられる弾力のある樹脂や金属。シール材３には大き
な変形に耐えられるゴム、樹脂、肉薄な金属が適している。
容器４は、シール材３の密着時に変形する事のない、押しピン１同様の硬質材が望ま
しい。
【実施例】
【００１８】
図１に、本発明の具体例斜視図を示す。
弾力のある素材でできたシール材３とシール材を支える形成部品２、シール材を変形
させる負荷を伝える為の押しピン１から構成される。
また、無負荷状態のシール材より断面積の小さな筒状の容器４がある。
【００１９】
以上の密閉蓋は次のようにして使用する。
一番容易な使用例は、シール材３と形成部品２を外れないように組み合わせ押しピン
１に力を加える事によって図２のように蓋の形状が変形する。
形成部品２やシール材３が変形する事によってシール材３と形成部品２が容器４の断
面積よりも小さくなり、自由に上下移動させる事ができる。
容器内の内容物の高さまで密閉蓋を下ろし力を抜くとシール材は元の大きさに戻る為
に容器４の内壁と密着し図３となり、外気を遮断する事ができる。
【００２０】
押しピン１に外部から力を加えてシール材を変形させる機構であれば、底までシール
材と同材料である必要はなく、リング状のシール材のみを変形させる事でも蓋の形状を
容器の断面積より小さくする事ができる。
【００２１】
無負荷の状態で容器の断面積より蓋の形状を小さくし、外部からの力を加え続ける事
によってシール材を断面積以上にして任意の時間だけ密閉させる事もできる。
【産業上の利用可能性】
【００２２】
液面に接触して密閉させる事により、外部からの振動に液面が揺れる事がなくなる。
その為、水生生物や大量の液体を安定した状態で容易に輸送する手段として利用する
事ができる。
大型になると人力によるシール材の変形は難しくなるので、外部からの力を機械化し
油圧やねじ切りによる力の変換で対応させる必要がある。
【符号の説明】
【００２３】
１  押しピン
２  形成部品
３  シール材
４  容器
【図１】
2014181054.tif 000003
【図２】
2014181054.tif 000004
【図３】
2014181054.tif 000005
(57)【要約】      （修正有）【課題】蓋をしたまま、全開口のコップよりも小さい傾けで飲め、中身もこぼれにくい紙コップを提供する。【解決手段】紙コップに蓋を設け、本体の開口縁３の任意の一箇所に、開口縁から側壁を凡そ2.5センチ程下った位置を基点に、幅凡そ2センチ弱の領域で、扇を開くように開口縁が外方向に突出る形で開閉する突き出し飲み口５を設け、飲み口が外へ開いた時の左右両側面に折り目線のあるマチを設ける。蓋の外周縁は、紙コップの開口縁が嵌合する溝７を有し、紙コップの外壁に沿って包み込むように下方に浅く覆い被さるツバ８を成すが、ツバの任意の一箇所に、突き出し飲み口に相当する幅間隔で２本のスリット９を入れる。【選択図】図１
2014181070.tif 000002
【特許請求の範囲】
【請求項１】
紙コップに蓋を設けるとともに、紙コップ本体の開口縁の任意の一箇所に、開口縁から側壁を凡そ2.5センチ程下った位置を基点にして、幅凡そ２センチ弱の領域で、扇を開くように、開口縁が外方向に突出る形で開閉する飲み口、即ち突出し飲み口を設け、飲み口が外方向へ開いた時の左右両側面に折り目線のあるマチを設け、蓋の外周縁は、紙コップの開口縁が嵌合する溝を有し、紙コップの外壁に沿って包み込むように下方に浅く覆い被さるツバを成しているが、ツバの任意の一箇所に、突出し飲み口に相当する幅間隔で、２本のスリットを入れてめくり部を設けたことを特徴とする突出し飲み口付き紙コップ。
【発明の詳細な説明】
【技術分野】
【０００１】
本発明は、主として使い捨てのコップとして用いられる紙コップ（薄肉プラスチックコップを含む。以下同じ）に関するものである。
【背景技術】
【０００２】
従来、紙コップは開口縁全周が飲み口となっており、蓋がないものが多い。蓋付き、又は蓋に飲み口用の小さな穴の付いた紙コップもあった。
【発明の概要】
【発明が解決しようとする課題】
【０００３】
開口縁の一部に口をつけて飲む紙コップは、飲み口が全開口であるため中身が冷めやすく、こぼれ易い。蓋付きのコップは、冷めやすさを予防することはできるが、飲む其のつどに蓋を開け閉めする面倒さが常に伴う。蓋に飲み口用の小さな穴の付いた紙コップは、この小さな穴から飲むのは（特に熱い飲み物は）容易ではなく、その上、飲む際にコップを大きく傾ける必要があるので、傾斜角度が大きくならざるを得ず、中身がこぼれたりして不便である。又、小さな穴の飲み口は、熱い液体が口に入って来た時、熱さが一点に集中して余計に熱く感じられ、舌が火傷しそうな感じになり、思わず口からコップを離して中身をこぼしてしまうことがよくある。
【課題を解決するための手段】
【０００４】
紙コップに蓋を設けるとともに、紙コップ本体の開口縁の任意の一箇所に、開口縁から側壁を凡そ2.5センチ程下った位置を基点にして、幅凡そ２センチ弱の領域で、扇を開くように、開口縁が外方向に突出る形で開閉する飲み口、即ち突出し飲み口を設ける。飲み口が外方向へ開いた時の左右両側面に折り目線のあるマチを設ける。蓋の外周縁は、紙コップの開口縁が嵌合する溝を有し、紙コップの外壁に沿って包み込むように下方に浅く覆い被さるツバを成しているが、ツバの任意の一箇所に、突出し飲み口に相当する幅間隔で、２本のスリットを入れてめくり部を設ける。
【発明の効果】
【０００５】
本発明の突出し飲み口は、普通に飲むのに適した十分な大きさがあり、飲みやすく、中身もこぼれにくい。また、蓋があることで温かいものは冷めにくく、且つ、ホコリを遮蔽できるために衛生面においても良好である。
本発明の突出し飲み口は、蓋を付けたままで飲むことができるので、飲む其のつどに蓋を外す必要がなく、中身も冷めにくい。又、飲む度ごとに蓋を開け閉めする煩わしさがない。
本発明の突出し飲み口は、飲み口が天板である蓋に付いた小さな穴の飲み口と違い、その飲み口がコップ本体の側壁で、更にそれが外方向に突出す形で飲み口を形成するので飲み易く、又、飲む際にコップを大きく傾ける必要がないので、こぼしたり、服を汚したりする心配もない。
本発明の突出し飲み口は、小さな穴の飲み口と違い、適度な大きさの開口なので、液の熱さが一点に集中して火傷しそうになる時に感じられるような恐怖さは生じず、空気と一緒に瞬時に冷ましながら飲むことができるので、中身の液の熱さを緩和することができ安心して飲める。
本発明の突き出し飲み口は、穴周辺が蓋で覆い隠されて中身が全く見えない小さな穴の飲み口と違い、適度な大きさの開口幅で中身の液が口に近づいてくる動きが見えるので、口の感覚の方も受け入れる用意ができて、不意打ち的な強烈な熱さに驚いたり、又、条件反射的に思わずコップを強く握ってしまって蓋が外れ、液が飛んだり、液がこぼれたりして服にかかってしまうというような事態にはならない。
【図面の簡単な説明】
【０００６】
【図１】本発明の斜視図
【図２】本発明の正面図
【図３】本発明の側面図
【図４】本発明の平面図
【発明を実施するための形態】
【０００７】
以下本発明の一実施の形態を説明する。
紙コップ本体（1）に蓋（2）を設けるとともに、紙コップ本体（1）の開口縁（3）の任意の一箇所に、開口縁（3）から側壁を凡そ2.5センチ程下った位置を基点（4）にして、幅凡そ2センチ弱の領域で、扇を開くように、開口縁が外方向に突出る形で開閉する飲み口、即ち突出し飲み口（5）を設ける。突出し飲み口（5）が外へ開いた時の左右両側面に折り目線のあるマチ（6）を設ける。蓋（2）の外周縁は、紙コップの開口縁（3）が嵌合する溝（7）を有し、紙コップの外壁に沿って包み込むように下方に浅く覆い被さるツバ（8）を成しているが、ツバ（8）の任意の一箇所に、突出し飲み口（5）に相当する幅間隔で２本のスリット（9）を入れてめくり部（10）を設ける。
本発明は、以上のような構成であり、以下、これを実際に使用する時の形態を説明する。
【実施例】
【０００８】
本発明の紙コップを使用するに当たっては、蓋（2）を外すことなく、蓋（2）に設けためくり部（10）をちょっと持ち上げ、突出し飲み口（5）を指先で軽く手前に引っぱりだして、突出し飲み口（5）から飲む。また、飲む段階において中身が残っている場合は、突出し飲み口（5）を指先でチョンと押し引っ込め、めくり部（10）を被せ、蓋（2）を回して、めくり部（10）を突出し飲み口（5）から少しずらすことによって、突出し飲み口（5）がしっかり閉じ止められて、紙コップ本体（1）の側壁に固定される。
本発明は、中身の液を別の容器に移し変えたいような時に、ロート代わりとしても便利に利用できる。
【符号の説明】
【０００９】
１  コップ本体
２  蓋
３  開口縁
４  基点
５  突出し飲み口
６  マチ
７  溝
８  ツバ
９  スリット
10  めくり部
【図１】
2014181070.tif 000003
【図２】
2014181070.tif 000004
【図３】
2014181070.tif 000005
【図４】
2014181070.tif 000006
(57)【要約】      （修正有）【課題】特に細く長い形状や幅広い薄い形状の焼結セラミックスの破壊靭性を向上した、機械的熱的衝撃に強い焼結セラミックス並びにその製造方法の提供。【解決手段】連続した細長繊維束や織布１をセラミックス２と複合成形３し挿入口と引出し口の２面を配置した焼成炉４，５内を連続通過させセラミックスに包含された繊維の耐熱温度範囲で焼結を行う事を特徴とする。【選択図】図１
2014181173.tif 000002
【特許請求の範囲】
【請求項１】
連続した長繊維束又は織布に粘土を基材とする無機質微粒粉体とけい酸塩を主体とした水溶液で拡散流動化したものを繊維の間隙に含浸・充填後溶媒を蒸散させ残留溶質で複合構造体として包含された繊維の耐熱温度内に設定した焼成炉内を連動して通過焼結する機構を特徴とする。
【請求項２】
焼成・焼結機構の炉体は両端に開口部を設け形成物が炉内を連続通過中に焼成・焼結が出来るように形成された炉体が特徴で請求項１の効果を提供する。
【発明の詳細な説明】
【技術分野】
【０００１】本発明は焼結されたセラミックスの破壊靭性の改善と形状が自由に形成される長繊維で強化されたセラミックス複合材の連続した焼成・焼結に関するものである。
【背景技術】
【０００２】従来焼結されたセラミックスは細長・広幅の形状を持つと靭性が低くなり機械的衝撃や熱的衝撃に弱く実用化は制限されていた。
【発明の概要】
【発明が解決しようとする課題】
【０００３】以上に述べた構成のもとで焼結形成されたセラミックスは利用目的に依っては形状と強度に問題があった。本発明はこの様な構成の欠点を補足解決すべき方法を提供するものである。
【課題を解決する手段】
【０００４】本発明においては前記したように焼結セラミックスに高靭性を付加するため長繊維による細長や広幅の織布とセラミックスを複合化し且つ連続して焼成・焼結させる。
構成として焼結する炉体は両端に開口部を設け挿入口と反対側に引出し口を配置して焼成する。長繊維で複合化したセラミックスの形成物の大きさに応じて炉体の開口部引出し口は開閉を自由に調整可能にして炉内は焼成・焼結に適切な温度と形成物が焼成に必要な滞留時間の調整を容易に設定し、連続して焼成・焼結を行う。
【発明の効果】
【０００５】本発明のセラミックスと長繊維の複合体はセラミックスの粒子分散強化に長繊束・長繊維繊布の連続した焼成・焼結方法により積層板の連続した複合化も可能となり高靭化機能の向上が達成された。
【図面の簡単な説明】
【０００６】
【図１】本発明の実施形態を示す連続焼成炉の断面図  １  長繊維束又は織布  ２  粘土を基材とする無機質微粒粉体とけい酸塩の水溶液の流動体  ３  使用目的に応じた成形金型  ４  第一焼成炉  ５  第二焼成炉  ６  熱源  ７  牽引ローラー
【図１】
2014181173.tif 000003
(57)【要約】      （修正有）【課題】従来、ハンドチェンブロック等での、荷物の吊り揚げ作業や、横引き作業時にワイヤ−ロ−プ等を使用するが、適正な長さにするために、いろいろな長さのロ−プを用意して、使用していた。ハンドチェンブロック等での荷物の吊り揚げ作業や、横引き作業時にワイヤ−ロ−プ等を使用するが、簡単に適正な長さに調節出来る張り具を提供する。【解決手段】フック１と連結リング２を接続金具３でつなぎ、フック４のついた長いチェン５及びフック６のついた短いチェン７を、接続金具８及び９で連結リング２につないだロ−プ張り具を特徴とする。【選択図】図１
2014181133.tif 000002
【特許請求の範囲】
【請求項１】
フック（１）と連結リング（２）を接続金具（３）でつなぎ、フック（４）のついた長いチェン（５）及びフック（６）のついた短いチェン（７）を、接続金具（８）及び（９）で連結リング（２）につないだロ−プ張り具。
【発明の詳細な説明】
【技術分野】
【０００１】  この発明は、ハンドチェンブロック等での、荷物の吊り揚げ作業や、横引き作業時に、ワイヤ−ロ−プ等を使用するが、適正な長さに調節する張り具に関するものである。
【背景技術】
【０００２】  従来、ハンドチェンブロック等での、荷物の吊り揚げ作業や、横引き作業時にワイヤ−ロ−プ等を使用するが、適正な長さにするために、いろいろな長さのロ−プを用意して、使用していた。
【先行技術文献】
【特許文献】
【０００３】
【特許文献１】
【発明の概要】
【発明が解決しようとする課題】
【０００４】  これは、次のような欠点があった。
作業手順としては、図３に示すように、ハンドチェンブロック（１０）のロ−ドチェン（１１）を一番伸ばした状態にして、荷物を吊り揚げたり又は、横引き作業を始めるのであるが、
（イ）作業にあう、長さのロ−プを、予備品より捜すのに手間どり、段取りに時間が、        かかった。
（ロ）いろいろの長さのロ−プの予備品が必要だった。
（ハ）多数のロ−プの購入が必要なため高価についた。
（ニ）長いワイヤ−ロ−プを無理に使用すると、ワイヤ−ロ−プを傷めた。
本発明は、これらの欠点をなくすためになされたものである。
【課題を解決するための手段】
【０００５】  図１に示すようにフック（１）と長いチェン（５）及び短いチェン（７）を連結リング（２）に、接続金具（３）（８）（９）でつなぐ。
本発明は、以上の構成よりなるロ−プ張り具である。
【発明の効果】
【０００６】  （イ）作業にあう長さのロ−プを、予備品より捜すのが不要なため段取り時間の短縮が        出来た。
（ロ）いろいろな長さのロ−プの予備品が不要になった。
（ハ）多数のロ−プの購入が不要のため安価になった。
（ニ）長いワイヤ−ロ−プを無理に使用しなくなったので、ワイヤ−ロ−プを傷めなく        なった。
【図面の簡単な説明】
【０００７】
【図１】  本発明の説明図である。
【図２】  本発明の取り扱い方法を示す説明図である。
【図３】  従来の吊り揚げ作業時の状態を示す説明図である。
【図４】  本発明品を使用しての吊り揚げ作業時の状態を示す説明図である。
【図５】  従来の横引き作業時の状態を示す説明図である。
【図６】  本発明品を使用しての横引き作業時の状態を示す説明図である。
【発明を実施するための形態】
【０００８】  以下、本発明を実施するための形態について説明する。
図１に示すように、フック（１）と連結リング（２）を接続金具（３）でつなぐ、そしてフック（４）のついた長いチェン（５）及び、フック（６）のついた短いチェン（７）を接続金具（８）及び（９）で連結リング（２）につなぐ。図２に示すようにフック（６）に長いチェン（５）を引っ掛けることにより、チェンを最適の長さに簡単に調節出来る。本発明は、以上のような構造である。
以下、本発明の実施例について説明する。
（イ）ハンドチェンブロックでの、従来の吊り揚げ作業時の状態を、図３に示します。        手順としては、ハンドチェンブロック（１０）の、ロ−ドチェン（１１）を一番        伸ばした状態にして、作業を始めるのであるがワイヤ−ロ−プ（１２）が長過ぎ        るとたるみ、短か過ぎるととどかないため、作業にあう長さのロ−プを捜すのに        手間どり、段取りに時間がかかった。
そこで本発明のロ−プ張り具（１５）を使用しての、作業時の状態を図４に示し        ます。フック（６）に長いチェン（５）を引っ掛けることにより、作業に適した        長さに簡単に調節が出来る。
（ロ）ハントチェンブロックでの、従来の横引き作業時の状態を図５に示します。手順        としては、ハンドチェンブロック（１０）のロ−ドチェン（１１）を一番伸ばし        た状態にして物品の横引き作業を始めるのであるが、ワイヤ−ロ−プ（１２）が        長過ぎるとたるみ、短か過ぎるととどかないため作業にあう長さのロ−プを捜す        のに手間どり、段取りに時間がかかった。
そこで、本発明のロ−プ張り具（１５）を使用しての作業時の状態を図（６）に        示します。フック（６）に、長いチェン（５）を引っ掛けることにより、作業に        適した長さに簡単に調節が出来る。
【符号の説明】
【０００９】１  フック      ２  連結リング      ３  接続金具      ４  フック
５  長いチェン      ６  フック      ７  短いチェン      ８  接続金具
９  接続金具      １０  ハンドチェンブロック
１１  ハンドチェンブロックのロ−ドチェン      １２  ワイヤ−ロ−プ
１３  ワイヤ−ロ−プ      １４  荷物      １５  本発明のロ−プ張り具
１６  物体
【図１】
2014181133.tif 000003
【図２】
2014181133.tif 000004
【図３】
2014181133.tif 000005
【図４】
2014181133.tif 000006
【図５】
2014181133.tif 000007
【図６】
2014181133.tif 000008
(57)【要約】【課題】  磁力と重力を作用させ連続回転する回転装置を提供する。【解決手段】  回転子を垂直回転させることで生じる回転面を周方向で挟み両側で対向させた、垂直２列の円環面が永久磁石でなる円環形永久磁石を全周に設け、固定子とし、両側其々の前記円環形永久磁石の中間で前記円環形永久磁石と反発させ、重力に作用させて回転走行するよう、先端部に重りと共に両端に回転子形成永久磁石を装着させたシャフト複数本を中心の回転駆動軸に固設させた。【選択図】図１
2014060907.tif 000002
【特許請求の範囲】
【請求項１】
固定子形成永久磁石からなる固定子と回転子形成永久磁石、重り、シャフトからなり垂直回転する回転子とを有し、前記回転子を垂直回転させることで生じる回転面を周方向で挟み、両側で対向させ、全周に設けられた前記固定子形成永久磁石が、垂直２列の円環面が永久磁石でなる円環形永久磁石であり、両側其々の前記円環形永久磁石の中間で前記円環形永久磁石と反発させ、重力に作用させて回転走行するよう、先端部に前記重りと共に両端に前記回転子形成永久磁石を装着させた、前記シャフト複数本を中心の回転駆動軸に固設させたことを特徴とする、磁力重力竪型回転装置。
【請求項２】
前記固定子形成永久磁石が半周に設けられた２列の半円環形永久磁石である、ことを特徴とする請求項１に記載の磁力重力竪型回転装置。
【請求項３】
前記固定子形成永久磁石が所定の間隔で設けられた２列の円弧形永久磁石である、ことを特徴とする請求項１に記載の磁力重力竪型回転装置。
【請求項４】
前記固定子形成永久磁石が全周、半周、所定の間隔で設けられた２列の四角形あるいは所定形状の永久磁石である、ことを特徴とする請求項１に記載の磁力重力竪型回転装置。
【請求項５】
前記固定子形成永久磁石と前記回転子形成磁石の何方か、あるいは両方の磁力線を所定の方向に設定させたことを特徴とする、請求項１から４のいずれかに記載の磁力重力竪型回転装置。
【請求項６】
前記回転子形成永久磁石を前記固定子形成永久磁石と、平行で、あるいは所定の角度を保持して、対向させたことを特徴とする請求項１から５のいずれかに記載の磁力重力竪型回転装置。
【請求項７】
前記固定子形成永久磁石を前記回転子の前記回転面の周方向右側あるいは左側１列のみに位置させたことを特徴とする請求項１から６のいずれかに記載の磁力重力竪型回転装置。
【請求項８】
前記固定子形成永久磁石を前記回転子形成永久磁石の回転軌道より径方向外側に、あるいは内側に、もしくは前記回転軌道を径方向で挟み内外両側に位置させたことを特徴とする請求項１から６のいずれかに記載の磁力重力竪型回転装置。
【請求項９】
前記回転子の前記回転面を周方向で挟み左右両側に、あるいは左側右側いずれか片側のみに位置させた前記固定子形成永久磁石と前記回転子形成永久磁石の前記回転軌道を径方向で挟み内外両側に、あるいは内側、外側いずれか片側のみに位置させた前記固定子形成永久磁石とからなる左右両側と内外両側の組合わせ、又は左右両側と内側、又は左右両側と外側、又は左側と内外両側、又は左側と内側、又は左側と外側、又は右側と内外両側、又は右側と内側、又は右側と外側の組合わせのうちいずれか一組の組合わせで前記固定子を形成させたことを特徴とする請求項１から６のいずれかに記載の磁力重力竪型回転装置。
【請求項１０】
前記回転子が円環形盤であり、前記円環形盤の両面、又は何方かの片面、又は内外両周、又は内周、又は外周のいずれかに、又は前記両面と前記内外両周、又は前記両面と前記内周、又は前記両面と前記外周、又は何方かの前記片面と前記内外両周、又は前記何方かの片面と前記内周、又は前記何方かの片面と前記外周のいずれかに円環形、あるいは所定形状の永久磁石を前記固定子形成永久磁石との反発で重力に作用させて回転走行するよう装着させ、重りと共に前記回転駆動軸に固設させたことを特徴とする請求項１から９のいずれかに記載の磁力重力竪型回転装置。
【請求項１１】
前記回転駆動軸に電力発生装置を連結させたことを特徴とする請求項１から１０のいずれかに記載の磁力重力竪型回転装置。
【請求項１２】
前記回転子の回転面を傾斜させ、固定子を回転面に対応させたことを特徴とする請求項１から１１のいずれかに記載の磁力重力傾斜型回転装置。
【請求項１３】
前記回転子の回転面を水平にし、固定子を回転面に対応させたことを特徴とする請求項１から１２のいずれかに記載の磁力重力水平型回転装置。
【発明の詳細な説明】
【技術分野】
【０００１】  本発明は磁力の重力に及ぼす作用と回転に関するものである。
【発明の概要】
【発明が解決しようとする課題】
【０００２】  解決する問題点は回転装置の重力で得た回転力が同じ重力による反回転力により相殺されてしまう点である。
【課題を解決するための手段】
【０００３】    本発明は回転力が重力による反回転力に相殺されないように磁力を重力に作用させ、回転力を強めると同時に反回転力を弱めて回転が連続するようにしたことを特徴とする。
【発明の効果】
【０００４】  本発明の回転装置は重りを重くし、回転軌道を大きくすることにより回転力が増大し、さらに並列に連結することでかなりのエネルギーが得られる利点がある。
【図面の簡単な説明】
【０００５】
【図１】シャフト、固定子形成永久磁石、回転駆動軸の位置関係を示した説明図である。
【図２】シャフト、固定子形成永久磁石、回転子形成永久磁石、重り、回転駆動軸の位置関係を示した説明図である。
【発明を実施するための形態】
【０００６】  回転装置の回転力を妨げる反回転力を生じさせる、重力の発生源である重りに永久磁石を装着し、２列で対向した両側の固定永久磁石と回転方向に反発作用させ、反回転力を減少させる。
【産業上の利用可能性】
【０００７】  本発明の回転装置はクリーンで安全なエネルギーを生み出すので電力源として利用可能である。
【符号の説明】
【０００８】１シャフト
２固定子形成永久磁石
３回転子形成永久磁石
４重り
５回転駆動軸
【図１】
2014060907.tif 000003
【図２】
2014060907.tif 000004
(57)【要約】【課題】鯖肉は傷みや変質が早いという問題を解消することにより、良質なたんぱく質、ＤＨＡ、ＥＰＡ、ビタミン類等を豊富に含む美味かつ安価な食材である鯖肉を具材として用いたシュウマイを提供する。【解決手段】鯖肉を主とする具材に甘糀を加えることにより該具材の保存性と艶と弾力性とを向上させたことを特徴とするシュウマイ。前記鯖肉は、鯖肉を細断してなる細片と鯖肉を練ってなるすり身とを混練してなるものである。前記鯖肉を主とする具材に甘糀を加えた後、これを冷蔵する。【選択図】なし【特許請求の範囲】
【請求項１】
鯖肉を主とする具材に甘糀を加えることにより該具材の保存性と艶と弾力性とを向上させたことを特徴とするシュウマイ。
【請求項２】
前記鯖肉は、鯖肉を細断してなる細片と鯖肉を練ってなるすり身とを混練してなるものであることを特徴とする請求項１に記載のシュウマイ。
【請求項３】
前記鯖肉を主とする具材に甘糀を加えた後、これを冷蔵することを特徴とする請求項１又は２に記載のシュウマイ。
【発明の詳細な説明】
【技術分野】
【０００１】
本発明は、シュウマイに関するものであり、特に、鯖肉を具材として用いたシュウマイに係るものである。
【背景技術】
【０００２】
シュウマイは従来より広く知られている食品である。従来のシュウマイは、小麦粉に水を加えて練り上げ、シート状に延ばし、所望の形状に切断してなる包皮により、獣肉、エビ、カニ、野菜等の具材を包み込み、これを蒸してなるものである。
【０００３】
特許第３１４８８８７号公報は、具材として豆腐、鶏挽き肉等を用いた豆腐シュウマイを開示している。
【０００４】
従来のシュウマイにおいては、鯖肉はシュウマイの具材としては全く用いられていない。けだし、鯖肉は傷みが早く、また鯖肉の冷凍スリ身も変質が早く、時間の経過と共に堅くポクポクとした感触になってしまうからである。
【先行技術文献】
【特許文献】
【０００５】
【特許文献１】特許第３１４８８８７号公報
【発明の概要】
【発明が解決しようとする課題】
【０００６】
しかるに、鯖肉は、良質なたんぱく質、ＤＨＡ、ＥＰＡ、ビタミン類等を豊富に含む美味かつ安価な食材である。そこで、本発明は、鯖肉は傷みや変質が早いという上述の如き問題を解消することにより、鯖肉を具材として用いたシュウマイを提供しようとしてなされたものである。
【課題を解決するための手段】
【０００７】
上記課題を解決するために、本発明は下記のシュウマイを提供するものである。
【０００８】
（１）鯖肉を主とする具材に甘糀を加えることにより該具材の保存性と艶と弾力性とを向上させたことを特徴とするシュウマイ（請求項１）。
【０００９】
（２）前記鯖肉は、鯖肉を細断してなる細片と鯖肉を練ってなるすり身とを混練してなるものである（請求項２）。
【００１０】
（３）鯖肉を主とする具材に甘糀を加えた後、これを冷蔵する（請求項３）。
【発明の効果】
【００１１】
[請求項１の発明]
鯖肉を主とする具材に甘糀を加えることにより該具材の保存性が向上するため、鯖肉は傷みや変質が早いという上述の問題が解消し、良質なたんぱく質、ＤＨＡ、ＥＰＡ、ビタミン類等を豊富に含む美味かつ安価な食材である鯖肉をシュウマイの主たる具材として使用することが可能となる。また、鯖肉を主とする具材に甘糀を加えることにより該具材の艶と弾力性とが向上するため、該具材はしっとりした外観と食感とを有する。
【００１２】
[請求項２の発明]
鯖肉は、鯖肉を細断してなる細片と鯖肉を練ってなるすり身とを混練してなるものであるため、シュウマイに好ましい味、食感、風味等とを与える。
【００１３】
[請求項３の発明]
鯖肉を主とする具材に甘糀を加えた後、これを冷蔵するため、該具材の艶と弾力性とが更に向上する。
【発明を実施するための形態】
【００１４】
本発明においてシュウマイの具材を包み込む包皮は、上記従来の包皮と同様に、小麦粉に水を加えて練り上げ、シート状に延ばし、所望の形状に切断してなるものである。
【００１５】
本発明におけるシュウマイの具材を作るための材料は、例えば、下記の通りとする。
鯖肉を切断してなる細片：６００〜１０００重量部
鯖肉のすり身：３００〜５００重量部
甘糀：２５０〜３００重量部
玉葱のみじん切り：２５０〜３００重量部
砂糖：８０〜１００重量部
白だし醤油：８０〜１００重量部
醤油：２０〜３０重量部
ごま油：２０〜３０重量部
生姜汁：３０〜５０重量部
調味液：８０〜１００重量部
【００１６】
鯖肉を切断してなる細片は、鯖を三枚におろし、これを身取り機により鯖肉とアラとに分別し、適宜の大きさに細断し、冷水で鯖肉を洗うことにより余分な脂分を取り除き、該鯖肉を袋に入れて加圧することにより絞ってなるものである。
【００１７】
鯖肉のすり身は、鯖肉を粘りがでるまで練り上げてなるものである。
【００１８】
甘糀は、水２０００重量部に砂糖２５０重量部を加えて沸騰させてなる砂糖湯に、うるち米のかゆと糀とを適量加えて湯煎し、撹拌しつつ例えば約５０℃〜７０℃の温度に約１０時間保持してなるものである。
【００１９】
調味液は、長ネギと生姜とシイタケのエキスと片栗粉とを水に加えてなるものである。該調味液における長ネギと生姜は殺菌作用とタンパク質の凝固作用とを有し、シイタケのエキスは着色と香りと旨さとを加え、片栗粉は結着材となる。
【００２０】
鯖肉の細片と鯖肉のすり身とを混練し、甘糀を加えて約０℃で冷蔵庫にて例えば１日〜数日間冷蔵する。このものを冷蔵庫から取り出し、玉葱のみじん切りと、砂糖と、白だし醤油と、醤油と、ごま油と、生姜汁と、調味液とを加えて具材となす。
【００２１】
この具材を上記包皮により包み込み、好ましくは、頂部にグリーンピース１個を載置する。具材は、包皮一枚につき一例として約２５ｇとする。
【００２２】
このようにして具材を包皮により包み込み、グリーンピースを載置してなるものを蒸し器で約３分間蒸し、扇風機の風を当てて粗熱を取り、真空包装し、更に蒸し器で約１０〜１５分間殺菌加熱し、急速冷凍し、−３０℃〜−３５℃の温度で保管する。
【００２３】
本発明によるシュウマイは、上記従来のシュウマイと同様に、各人の好みに応じて、例えばソース、醤油、辛子、マヨネース等と共に食する。
(57)【要約】【課題】  剪定や収穫時に飛散や落下しない、保持、切断、切断保持の３役をこなすことを特徴とするキャッチ・ハサミを提供する。【解決手段】  本発明品はラウンド刃を使用した剪定鋏の切り刃に厚さ調節板と切り刃用ハサミ板を取り付け、受け刃に受け刃用ハサミ板を取り付けた、刃先より長いハサミ板を使用することにより保持、切断、切断保持の３役をこなすことを可能にしたキャッチ・ハサミ。【選択図】図１
2014057563.tif 000002
【特許請求の範囲】
【請求項１】
ラウンド刃を使用した剪定鋏の切り刃に厚さ調節板と切り刃用ハサミ板を取り付け、受け刃に受け刃用ハサミ板を取り付けた、刃先より長いハサミ板を使用することにより保持、切断、切断保持の３役をこなすことを特徴とするキャッチ・ハサミ。
【発明の詳細な説明】
【技術分野】
【０００１】  この発明は剪定作業と収穫作業両用に使用するもので、剪定後の技・葉の飛散をなくし、片手で直接袋などに入れることにより、省力化にもつながるキャッチ・ハサミに関するものである。【０００２】  この発明は農作物の収穫作業に利用できる、特に切り花や果菜類の収穫が片手だけできる。【０００３】  この発明は農作業中に毛虫などと遭遇した時、直接手で触れることなく、捕獲することができる。【０００４】  この発明は生け花にも使用でき、余分な枝や茎の切断する時、それらの飛散防止ができる。
【背景技術】
【０００５】  従来の剪定はさみ（特許文献１）は剪定が目的で切断された枝・葉飛散していた。
柄は長く大きく片手では使えないものであった。
高枝切鋏（特許文献２）も切断、保持機能があるが保持機能は無く、重量もあり、片手での使用は無理で、片手で使える切断保持機能がある適当なハサミがなかった。
【先行技術文献】
【特許文献】
【特許文献１】  特開２０１１−１７７１６３号公報
【特許文献２】  特開２００４−２１５５３８号公報
【発明の概要】
【発明が解決しようとする課題】
【０００７】  これは次のような欠点があった。
（イ）従来の剪定はさみ、高枝切りバサミは柄が長く片手での使用は困難であった。
（ロ）従来の盆栽用剪定はさみなど片手で使用できても、葉や枝は飛散し後から集めるのが大変であった。
（ハ）従来品は切断するのみで、保持機能の付いているものは無かった。
【課題を解決するための手段】
【０００８】  ラウンド刃を使用した剪定鋏の切り刃に厚さ調節板と切り刃用ハサミ板を取り付け、受け刃に受け刃用ハサミ板を取り付けた、刃先より長いハサミ板を使用することにより保持、切断、切断保持の３役をこなすことを特徴とするキャッチ・ハサミである。
【発明の効果】
【０００９】  本発明は、剪定作業中の枝・葉の飛散防止が可能なキャッチ・ハサミである。
また、片手でも収穫作業が可能である。
よって、剪定時の枝葉の飛散・散乱防止、ミニトマトなど野菜の収穫、毛虫など害虫の捕獲ができ、生け花で切断した不要な枝、葉、茎を散乱させることはない。
【発明を実施するための最良の形態】
【００１０】  以下、本発明を実施の形態を説明する。
（イ）剪定挟（１）のラウンド型の切り刃（１１）に厚さ調節板（３）と切り刃用ハサミ板（２）を皿小ネジ（５）とナット（６）で固定する。
（ロ）剪定鋏（１）の受け刃（１２）に受け刃用ハサミ板（４）を皿小ネジ（５）とナット（６）で固定する。
（ハ）厚さ調整板の厚さは受け刃（１２）の厚さとする。
（ニ）切り刃用ハサミ板（２）と受け刃用ハサミ板（４）の固定場所は刃先（１５）よりはみ出るようにし、切り刃（１１）と受け刃（１２）を合わせた時、両ハサミ板の挟む面が重なるよう固定する。
（ホ）切り刃用ハサミ板（２）を切り刃（１１）に固定する場合、中間に厚さ調節板（３）を設置し、切り刃（１１）側に皿小ネジ（５）を使用し、切り刃用ハサミ板（２）側にナット（６）を使用する。
（ヘ）受け刃用ハサミ板（４）を受け刃（１２）に固定する場合、受け刃（１２）側に皿小ネジ（５）を使用し、受け刃用ハサミ板（４）側にナット（６）を使用する。
固定する皿小ネジ（５）溝の深さは皿小ネジ（５）の頭より深くし、切り刃（１１）、受け刃（１２）の刃面から出ないようにする。
（ト）固定するナットの溝の深さも皿小ネジのネジ部とナット（６）がハサミ板（２）（４）の面から出ないのが望ましい。
本発明は、以上の構成よりなっている。
本発明を使用するときは、使用目的に応じた使用法をとる。
保持の時は、刃先（１５）より上の切り刃用ハサミ板（２）と受け刃用ハサミ板（４）の部分を使用する。
切断の時は、親指柄（１３）を親指側で使用した時、右側にくるものは、切断後落下する。
切断保持の時は、親指柄（１３）を親指側で使用した時、左側にくるものは、切断後保持できる。
【図面の簡単な説明】
【００１１】
【図１】本発明におけるキャッチ・ハサミの一例を示した斜視図である。
【図２】本発明におけるキャッチ・ハサミの１例を示した分解図である。
【図３】図１におけるハサミ部における拡大正面図である。
【図４】図１における切り刃部の拡大断面図である。
【図５】図１における受け刃部の拡大断面図である。
【符号の説明】
【００１２】１  剪定鋏
２  切り刃用ハサミ板
３  厚さ調節板
４  受け刃用ハサミ板
５  皿小ネジ
６  ナット
７  バネ
８  ストラップ用穴
９  留め金
１０  留め金用ピン
１１  切り刃
１２  受け刃
１３  親指柄
１４  要ネジ
１５  刃先
【図１】
2014057563.tif 000003
【図２】
2014057563.tif 000004
【図３】
2014057563.tif 000005
【図４】
2014057563.tif 000006
【図５】
2014057563.tif 000007
(57)【要約】      （修正有）【課題】簡便且つ自然環境保護に繋がる梱包方法で切り花及び植物などの鮮度の維持或いは寿命を延ばし、美的観を備えた梱包方法を提供する。【解決手段】シート状に加工された綿状パルプ材に給水し、シート上に切り花及び植物などを並べ、シートを折り返すことで茎先端及び茎部を短時間の作業で纏めて包み込むことが可能となる切り花及び植物などの梱包方法である。【選択図】なし【特許請求の範囲】
【請求項１】
シート状に加工された綿状パルプ材に給水し、本シート上に切り花及び植物などを並べ、本シートを折り返すことで茎先端及び茎部を短時間の作業で纏めて包み込むことが可能となる、切り花及び植物などの梱包方法。
【請求項２】
袋状に加工された綿状パルプ材に給水し、切り花及び植物などの茎先端及び茎部を袋内に挿入し短時間の作業で纏めて包み込むことが可能となる、切り花及び植物などの梱包方法。
【請求項３】
２項の袋状外面にリボンなどを附帯させて梱包することにより、美的観を備えた梱包方法
【請求項４】
綿状パルプ材に給水された水分が気化し、シート状内部若しくは袋状内部に包まれた切り花及び植物などの毛細管現象により、輸送時に安定した水分補給が可能となる。
【請求項５】
切り花及び植物などを包み込んだ綿状パルプ材の内面から放出される水分の気化量を一定に保つため、綿状パルプ材の内側表面に投入量を定め所定の密度を有する不織布を設ける。
【請求項６】
切り花及び植物などを包み込んだ綿状パルプ材外側から水分の気化、水漏れを防ぐため、綿状パルプ材の外側表面に防水層を設ける。
【発明の詳細な説明】
【産業上の利用分野】
【０００１】本発明は、切り花及び植物などの保水梱包方法であり、輸送の際切り花及び植物などに安定した水分補給効果を与えるとともに、梱包に要する作業時間の短縮及び作業人員の削減を行うことが出来る梱包方法。
【背景技術】
【０００２】従来の切り花梱包は、作業人員がプラスティックチューブ１個ずつに水を約５ｃｃ注入し、切り花１本ずつ茎の先端にプラスティックチューブを挿入して切り花を１０本ずつ輪ゴム等で纏め、箱詰めする。
梱包作業全てが手作業である。
【発明が解決しようとする課題】
【０００３】前記の梱包方法は、全て１本ずつの手作業であり、多数の作業人員を必要とする。また切り花及び植物などの茎部は真っ直ぐではなく、１本ずつ自然に曲がっており、プラスティックチューブが茎先端より上になるとチューブ内の水が傾き、茎先端部が水と離れるため水分補給が出来なくなり、輸送時に花枯れを生じるケースが多発している。
【０００４】プラスティックチューブは輸送中に切り花を傷つけるため、商品価値低下や廃棄処理となるケースが多発している。
【０００５】高価な切り花などが乱雑な梱包により、花の変形、花の傷みが生じ、美的商品価値の低下するケースが多発している。
【０００６】切り花の使用済みプラスティックチューブ及び植物などの梱包に使用されたビニールなどの石油製品は、不燃性産業廃棄物としての廃棄処理が要求されるため、世界的見地からプラスティックチューブやビニールなどの使用廃止が求められている。
【０００７】本発明は、従来の問題点を解決し切り花及び植物などに安定した水分補給を行い、切り花及び植物などの梱包作業に要する作業時間の短縮及び作業人員の削減を行うことが出来る梱包方法。作業性の大幅な改善による人件費低減が可能となる。
また不燃材料の使用から自然還元性材料の使用へと変更するため、地球の自然環境保護に繋がる。
【課題を解決するための手段】
【０００８】従来のプラスティックチューブやビニールなどを使用せず、自然還元性綿状パルプ材を水分吸収体とし、所定の大きさのシート状に加工する。本シートに１０ｃｃ〜３００ｃｃの水を吸収させる。（図１）
本シートの上に切り花及び植物などを１本〜１００本並べ、本シートを折り返すことで切り花及び植物などの茎先端部及び茎部を短時間の作業で纏めて包み込む。（図２）
【０００９】同質の綿状パルプ材を所定の大きさの袋状に加工する。本袋内に１ｃｃ〜２００ｃｃの水を吸収させる。（図３）
本袋内に１本〜５０本の切り花及び植物などの茎先端部及び茎部を挿入し、短時間の作業で纏めて包み込む。（図４）
【００１０】０００９項の本袋外面に附帯するリボンなどで本袋を軽く締める。（図３）及び（図４）
【００１１】０００８項の本シート若しくは０００９項の本袋に吸収された水分は、綿状パルプ材表面から気化する。包み込んだ切り花及び植物などの茎先端部及び茎部の毛細管現象により、茎先端部及び茎部に安定した水分補給が行われ、花枯れや植物の老化を防ぐことが可能となる。
【発明の効果】
【００１２】本発明は、切り花及び植物などに安定した水分補給を与え、切り花及び植物などの鮮度維持或いは消費期限を延ばすことが可能となる。
【００１３】本発明は、従来の切り花の梱包作業において作業人員がプラスティックチューブ１個ずつに水を約５ｃｃ注入し、切り花１本ずつ茎の先端にプラスティックチューブを挿入して１０本ずつ輪ゴム等で纏める、という全て手作業による非効率的な作業方法を、短時間の効率的な作業へと大幅に改善し、作業時間の短縮及び作業人員の削減を行うことが可能となる。
【００１４】本発明は、切り花及び植物などを植え、育て、出荷、枯れたり或いは消費されるまでに要する経費削減が可能となる。
【００１５】本発明は、切り花及び植物などの輸送中生じる傷を防ぎ、商品価値の低下や不良による廃棄を防ぐことが可能となる。
【００１６】本発明は、切り花や植物などの新鮮な状態を従来の梱包より長く維持出来ることにより、美的或いは鮮度などの商品価値を高めることが可能となる。
【００１７】本発明は、従来の乱雑な梱包による切り花及び植物などを傷めることなく商品価値を高め、袋に附帯されたリボンなどで化粧化された梱包方法が切り花及び植物などの商品価値をより高め、商品をブランド化することが可能となる。
【００１８】本発明は、自然還元性の綿状パルプ材を使用するため、不燃材料であるプラスティックチューブやビニールなどを廃止し、世界的見地から地球の自然環境を保護することが可能となる。よって環境マネジメントシステムの構築によりＩＳＯ１４００１規格を取得することが可能となる。
【図面の簡単な説明】
【００１９】
【図１】本発明のシート状綿状パルプ材に所定量の水を注ぐ。
【図２】シート状に切り花を並べ、シートを折り返して切り花の先端部を纏めて包み込む。
【図３】本発明の袋状綿状パルプ材に所定量の水を注ぐ。
【図４】袋内に切り花の先端部を挿入し、纏めて包み込む。附帯されたリボンなどで軽く締める
【符号の説明】
【００２０】  １  シート状綿状パルプ材
２  計量カップ（水）
３  切り花
４  袋状綿状パルプ材
５  リボンなど
【図１】
2014057562.tif 000002
【図２】
2014057562.tif 000003
【図３】
2014057562.tif 000004
【図４】
2014057562.tif 000005
(57)【要約】      （修正有）【課題】発電機の動力として自然エネルギー引力を利用した、低コスト、クリーンな、企業、工場、家庭用発電機を提供する。【解決手段】下部を固定したバネ６の上に、縦軸発電機２を固定し、さらに発電機２の上に平面から見た円形台座を固定する。その円形台座の上に、その一部に錘３を乗せた回転可能な大リング５を設ける。バネ６が左へ傾くと錘３が傾いた方の下へ行こうとするので、大リング５もその方向に半回転する。つぎに円形台座が左右運動してケース４の内周と当接する位置にて、両方に取り付けた反発磁石１の作用により反対の右へ反発させると、さらに大リング５を半回転する。この左右運動の繰り返しにより縦軸発電機２を回転させる。【選択図】図１
2014057504.tif 000002
【特許請求の範囲】
【請求項１】
下部を固定したバネの上に、縦回転軸発電機を固定し発電機の上に平面から見た円形台座を固定し、その円形台座の上に回転可能な大リングを乗せて中心をボルト止めし、大リングの何か所かに錘を固定する。
バネが左へ傾くと錘が傾いた方の下へ行こうとするので、大リングもその下へ行こうとする力で半回転し、バネと固定した円形台座の倒れる位置も含めた全体が入るケースのバネと固定した円形台座の左右運動がケースに当たる個所と、バネと固定した円形台座の両方に反発磁石を取付て右へ反発させて、また大リングを半回転させ、ふたたび左に反発させ大リングを半回転させる。
その左右運動の繰り返しにより大リングを回転させ大リングの回転により縦回転軸発電機の軸を回転さす。
バネの左右運動を平面回転運動に変え発電機を運転し発電するという構造を有するバネ発電機。
【発明の詳細な説明】
【技術分野】
【０００１】本発明は、動力にバネと反発磁石を利用し、左右運動を回転運動に変え発電する、無公害発電機に関するものである。
【背景技術】
【０００２】従来発電機と言えば、原子力、水力、火力、地熱、風力、太陽光、天然ガス等色々有るが、リスク、有害物質、ＣＯ２、無風、夜間等の条件で、何らかの難点が有る。節電効果のある物を求められた。
【先行技術文献】
【０００３】
【特許文献】
【特許文献】特開２００４−３２０９７１
【特許文献１】特開２０１１−４５７４
【特許文献２】特開２００４−２７４９８４
【非特許文献】
【０００４】
【非特許文献１】
【非特許文献２】
【発明の概要】
【発明が解決しようとする課題】
【０００５】従来発電機は、有害物質を発したり、ＣＯ２を排出したり、と問題点が有り本発明が解決しようとする課題は、自然エネルギー引力を利用する事で、有害物質、ＣＯ２を排出しないクリーン発電機で有れば、前述の課題を解決出来ると考えたものである。
【課題を解決するための手段】
【０００６】コストが安く有害物質が出なく、特に問題点も無い、自然クリーンエネルギーを利用すれば、前述の問題点を無くせると考えた結果、地球上何処にも有る自然エネルギーの引力を利用し縦の往復運動を反発磁石、電磁石等を用い横回転運動に変え効率よくスムーズに回転発電し、前述の欠点を解決しようとするものである。
【発明の効果】
【０００７】上述の様に、本発明のバネ発電機は、自然エネルギーで、発電するので、有料の動力エネルギーコストが掛からず無公害で、昼夜を問わず発電出来、企業、工場、家庭用の節電救済の安価発電の効果がある。
【図面の簡単な説明】
【０００８】
【図１】全体の正面図である。
【図２】全体の平面図である。
【発明を実施するための最良の形態】
【０００９】上述の様に左右運動を回転運動に変える為、どうしても動力音が出るので、ケース入りでコンパクトにし屋上、庭などに設置できる構造で、電力容量に応じ大きさを多段階に作成し、点検等も行うので２機一組とし提供する。
【実施例】
【００１０】以下、添付図面に従い実施例を説明する。（１）は、反発磁石または、反発電磁石であり直接鋼材どうしが当たり、音、磨耗が無い役目をする。
（２）は、発電機であり（６）のバネ左右可動により引力で左右運動し、繰り返し運動の不足を（１）の反発、反発電磁石で運動を助け繰り返し左右運動を続け、（５）の大リングと（３）の錘とのバランス調節で回転運動となり（２）の発電機軸が回転し、電力供給する。その際音を減少さす為、発電機全体をケースに入れ使用し予備機、点検も必要で２機で併用する。
【産業上の利用可能性】
【００１１】
【符号の説明】
【００１２】１      反発磁石または、反発電磁石
２      発電機
３      バランス錘
４      ケース
５      大リング
６      バネ
【受託番号】
【００１３】
【図１】
2014057504.tif 000003
【図２】
2014057504.tif 000004
(57)【要約】【課題】従来の永久磁石を使用した健康器具は、腕輪タイプや、ネックレス・タイプなど、その他に、磁石を両面テープで貼り付けて使用する種類があったが、重さや、多少邪魔な事があった。【解決手段】本発明は、ズボンに使用するベルトに固定して使用する為、邪魔な事も無く、重量感もほとんど感じる事が無く使用する事が出来る。【選択図】図１
2014057822.tif 000002
【特許請求の範囲】
【請求項１】
磁気健康器具として、ズボン用ベルトに、腰部を一周する様に永久磁石を並べて取り付ける方法で使う様にする。
【発明の詳細な説明】
【技術分野】
【０００１】永久磁石を使用して、血行促進や筋肉のこりなどを改善する磁気健康器具の装着に関する技術。
【発明の概要】
【課題を解決するための手段】
【０００２】永久磁石を使用した従来の健康器具類は、ネックレスタイプや腕輪タイプなどがあり、若干の重さや、邪魔な点があった、本発明ではズボン用ベルト１に永久磁石２を取り付けて使用する為、邪魔にならない事と、重さも気にならない利点がある。
【発明の効果】
【０００３】本発明は磁気健康器具として、永久磁石をズボン用ベルトに取り付けて使用する為、従来から使用しているベルトと同じ形態で使用出来る。
【図１】
【符号の説明】
【０００４】１…ベルト本体    ２…永久磁石    ３…ベルト止穴
【図１】
2014057822.tif 000003
【手続補正書】
【提出日】平成24年11月5日(2012.11.5)
【手続補正１】
【補正対象書類名】明細書
【補正対象項目名】全文
【補正方法】変更
【補正の内容】
【発明の詳細な説明】
【技術分野】
【０００１】永久磁石を使用して、血行促進や筋肉のこりなどを改善する磁気健康健康器具に関する技術。
【発明の概要】
【課題を解決するための手段】
【０００２】永久磁石を使用した従来の健康器具類は、ネックレスタイプや腕輪タイプなどがあり、若干の重さや、邪魔な点があった、本発明ではズボン用ベルト１に永久磁石２を取り付けて使用する為、邪魔にならない事と、重さも気にならない利点がある。
【発明の効果】
【０００３】本発明は磁気健康器具として、永久磁石をズボン用ベルトに取り付けて使用する為、従来から使用しているベルトと同じ形態で使用できる。
【図面の簡単な説明】
【０００４】
【図１】磁気健康ベルトを表す実態図である。
【符号の説明】
【０００５】１…ベルト本体    ２…永久磁石    ３…ベルト止穴